(57)【要約】【課題】膨張タンクを備えていても、大型化しない給湯暖房機を提供すること。【解決手段】この給湯暖房機１では、膨張タンク１００を給湯用熱交換器及び暖房用熱交換器の前面側に組み付けているので、給湯暖房機１の横幅が長くならない。また、膨張タンク１００の端部から凸設された突出部１０１，１０２はバックカバー３の左側壁３ａ側の軸受け部１０３，１０４において軸支されているので、膨張タンク１００が左側壁３ａ側に開くようになっている。したがって、膨張タンク１００を外さなくても、給湯暖房機１内部に組み付けられた各装置の保守作業が可能になる。また、膨張タンク１００に接続されたタンク往き管４７及びタンク戻り管４４はジャバラになっているので、膨張タンク１００の開き度合いに応じて伸長可能である。【選択図】  図５
2005037019.tif 000002
【特許請求の範囲】
【請求項１】
筐体内に、バーナと、当該バーナに送風する送風ファンと、前記バーナの上方に設けられ、前記バーナの燃焼気体から熱を回収して水を加熱する熱交換器と、当該熱交換器に供給する水の量を調整する水量調整器と、前記バーナに供給する燃料の量を調整する燃料調整器と、前記熱交換器に加熱された湯を通水する往き配管と、外部から戻って供給される湯を通水する戻り配管と、前記往き配管に湯を循環させる循環ポンプと、前記往き配管内と前記戻り配管内との水量を一定量に保持する膨張タンクとを備えた給湯暖房機であって、
前記筐体は、設置時における前面が開放された略直方体形状のバックカバーと、
当該バックカバーの前面に固定されたフロントカバーと
から構成され、
前記膨張タンクは、前記熱交換器と前記フロントカバーとの間に配置されていることを特徴とする給湯暖房機。
【請求項２】
前記膨張タンクの一端側は、前記バックカバーの内側の側面に軸支され、回動可能となっていることを特徴とする請求項１に記載の給湯暖房機。
【請求項３】
前記膨張タンクと前記循環ポンプとの間に接続され、前記膨張タンク内の湯を前記循環ポンプに送出するための可塑性のタンク往き管と、
前記膨張タンクと前記戻り配管との間に接続され、前記戻り配管から前記膨張タンクに湯を入水させるための可塑性のタンク戻り管と
を備えたことを特徴とする請求項１又は２に記載の給湯暖房機。
【請求項４】
前記熱交換器は、暖房用熱交換器と給湯用熱交換器とから構成され、
前記膨張タンクの前記一端側は、前記バックカバー内側の前記暖房用熱交換器側の前記側面に軸支されていることを特徴とする請求項２又は３に記載の給湯暖房機。
【請求項５】
前記膨張タンクには、前記一端側から水平方向に凸設された突出部が設けられ、
当該突出部の先端側には、下方に向かって凸設された軸部が設けられ、
当該軸部の先端近傍には、前記軸部と直交する方向に凸設された係止突起が設けられ、
また、前記バックカバーには、前記側面から前記バックカバー内部に向かって水平方向に凸設された軸受け部が設けられ、
当該軸受け部の先端近傍には、前記軸部が挿入可能で、かつ前記係止突起と同形状の突起部を有する受け穴が設けられていることを特徴とする請求項２乃至４の何れかに記載の給湯暖房機。
【発明の詳細な説明】
【０００１】
【発明の属する技術分野】
本発明は、給湯暖房機に関し、詳細には、バーナの燃焼気体から熱を回収して通水を過熱する給湯暖房機に関するものである。
【０００２】
【従来の技術】
従来、給湯暖房機は給湯機能に併せ、所定温度の湯を床面に配設された配管に循環させて室内を暖める床暖機能、また湯を利用して室内を暖める温水エアコン機能等を備えたものが一般的に利用され、床暖機能及び温水エアコン機能に限定した温水暖房装置も市販されている。このような給湯暖房機において、給湯暖房機１内に設けられた配管内を循環する湯の温度変化による膨張収縮を吸収するために、給湯暖房機内には膨張タンク（ドレンタンク）が設けられており、給湯暖房機内の配管内が所要水量に保持されるための調整を行っている。そして、この膨張タンクは給湯暖房機の筐体内において、供給された水を加熱する熱交換器と並列に配置されていることが多い（例えば、特許文献１参照）。
【０００３】
【特許文献１】
特開平９−１２６４７９号公報
【０００４】
【発明が解決しようとする課題】
しかしながら、特許文献１に記載の給湯暖房機の膨張タンクは、湯を一時的に蓄えるために大きく設計されており、筐体の内側において熱交換器と並列に配置されているので、給湯暖房機の横幅が広くなってしまうという問題点があった。また、一般住宅では既存の給湯機の幅と高さに合わせて取付スペースが設けられていることが多く、改築などに伴って古い給湯機を暖房機能を備えた新しい給湯暖房機に交換しようとした際に、給湯暖房機内に膨張タンクが設けられているため横幅が以前の給湯機より広くなっており、給湯暖房機が取付スペースに入らないという問題点があった。また、熱交換器の下方に膨張タンクを取り付けた場合は、給湯暖房機の高さが高くなってしまい、同様に所定の設置スペースに入らないという問題点があった。
【０００５】
本発明は、上述の課題を解決するためになされたものであり、膨張タンクを備えていても、大型化しない給湯暖房機を提供することを目的とする。
【０００６】
【課題を解決するための手段】
上記目的を達成するために、請求項１に記載の給湯暖房機は、筐体内に、バーナと、当該バーナに送風する送風ファンと、前記バーナの上方に設けられ、前記バーナの燃焼気体から熱を回収して水を加熱する熱交換器と、当該熱交換器に供給する水の量を調整する水量調整器と、前記バーナに供給する燃料の量を調整する燃料調整器と、前記熱交換器に加熱された湯を通水する往き配管と、外部から戻って供給される湯を通水する戻り配管と、前記往き配管に湯を循環させる循環ポンプと、前記往き配管内と前記戻り配管内との水量を一定量に保持する膨張タンクとを備えた給湯暖房機であって、前記筐体は、設置時における前面が開放された略直方体形状のバックカバーと、当該バックカバーの前面に固定されたフロントカバーとから構成され、前記膨張タンクは、前記熱交換器と前記フロントカバーとの間に配置されていることを特徴とする。
【０００７】
この構成の給湯暖房機では、膨張タンクは、バックカバー内に設けられた熱交換器と、バックカバーの開放される前面に固定されるフロントカバーとの間に設けられているので、給湯暖房機の幅が広くならず、給湯暖房機を小型にすることができる。
【０００８】
また、請求項２に記載の給湯暖房機は、請求項１に記載の発明の構成に加え、前記膨張タンクの一端側は、前記バックカバーの内側の側面に軸支され、回動可能となっていることを特徴とする。
【０００９】
この構成の給湯暖房機では、請求項１に記載の発明の作用に加え、膨張タンクの一端側は、バックカバーの内側の側面に軸支され、回動可能となっているので、膨張タンクの背面側に設けられた熱交換器又はバーナ等の脱着やメンテナンス作業を容易に行うことができる。
【００１０】
また、請求項３に記載の給湯暖房機は、請求項１又は２に記載の発明の構成に加え、前記膨張タンクと前記循環ポンプとの間に接続され、前記膨張タンク内の湯を前記循環ポンプに送出するための可塑性のタンク往き管と、前記膨張タンクと前記戻り配管との間に接続され、前記戻り配管から前記膨張タンクに湯を入水させるための可塑性のタンク戻り管とを備えている。
【００１１】
この構成の給湯暖房機では、請求項１又は２に記載の発明の作用に加え、膨張タンクと循環ポンプとの間に接続されたタンク往き管と、膨張タンクと戻り配管との間に接続されたタンク戻り管とは可塑性になっているので、膨張タンクが回動しても、タンク往き管とタンク戻り管とが膨張タンクの開き度合いに応じて変形自在可能であるので、膨張タンクからタンク往き管及びタンク戻り管とを外さなくても膨張タンクを開くことができるため、作業が容易になることに加え、それにより抜けた暖房水を水張りし直す手間を除くことができる。
【００１２】
また、請求項４に記載の給湯暖房機は、請求項２又は３に記載の発明の構成に加え、前記熱交換器は、暖房用熱交換器と給湯用熱交換器とから構成され、前記膨張タンクの前記一端側は、前記バックカバー内側の前記暖房用熱交換器側の前記側面に軸支されていることを特徴とする。
【００１３】
この構成の給湯暖房機では、請求項２又は３に記載の発明の作用に加え、膨張タンク内の湯は、循環ポンプによって暖房用熱交換器に供給されるので、膨張タンクの一端側は暖房用熱交換器になるべく近い側の側面に軸支される。したがって、膨張タンクが開いても、タンク戻り管と、循環ポンプに接続されたジャバラ状のタンク往き管とは大きく引っ張られることがないので、タンク戻り管とタンク往き管とに負荷がかからない。
【００１４】
また、請求項５に記載の給湯暖房機は、請求項２乃至４の何れかに記載の発明の構成に加え、前記膨張タンクには、前記一端側から水平方向に凸設された突出部が設けられ、当該突出部の先端側には、下方に向かって凸設された軸部が設けられ、当該軸部の先端近傍には、前記軸部と直交する方向に凸設された係止突起が設けられ、また、前記バックカバーには、前記側面から前記バックカバー内部に向かって水平方向に凸設された軸受け部が設けられ、当該軸受け部の先端近傍には、前記軸部が挿入可能で、かつ前記係止突起と同形状の突起部を有する受け穴が設けられていることを特徴とする。
【００１５】
この構成の給湯暖房機では、請求項２乃至４の何れかに記載の発明の作用に加え、膨張タンクに凸設された突出部の先端に設けられた軸部には係止突起が設けられており、軸部はバックカバーの内側に凸設された軸受け部の受け穴に挿入され、受け穴に設けられた係止突起と同形状の突起部に軸部の係止突起を合わせることにより挿入され、回動可能となる。また、係止突起は、軸受け部の突起部に合わせないと外れないので、係止突起が軸受け部の突起部に合わない場合にはバックカバーの内側面から膨張タンクが外れることがない。そして、膨張タンクのメンテナンス及び交換時等には、軸部の係止突起を受け穴の突起部に合わせることにより、膨張タンクをバックカバーから取り外すことができる。
【００１６】
【発明の実施の形態】
以下、本発明の一実施の形態について、図面に基づいて説明する。まず、給湯暖房機１の外観について、図１，図２及び図３を参照して説明する。図１は、給湯暖房機１の正面図であり、図２は、給湯暖房機１の側面図であり、図３は、給湯暖房機１の底面図である。尚、本発明の給湯暖房機１は、供給された水道水を加熱して外部に湯を供給する給湯機能と、湯を外部の室内や床下に設置された放熱器（図示外）に供給し、室内や床を暖房する暖房機能とを併せもつ給湯暖房機１を本発明の一実施の形態として詳細に説明する。図１，図２及び図３に示すように、給湯暖房機１は略直方体形状の筐体２を備えており、横幅：４５１ｍｍ、高さ６００ｍｍ、奥行き：２４０ｍｍの略直方体形状の箱である。また、バックカバー３は、一体成形された平面視略長方形状の一枚の平板を平面視略コの字型形状に折り曲げ、左側壁３ａ（図４参照），右側壁３ｂ（図４参照）及び背面壁（図示外）が各々形成されて側壁が構成される。そして左側壁３ａ，右側壁３ｂ及び背面壁により形成されるバックカバー３の上端部側に平面視略長方形の天板８（図４参照）が上方から覆設されることによりバックカバー３が構成されている。そして、図２に示すように、バックカバー３の開放された底面側には底板５が固定され、バックカバー３の背面壁３ｃと対向する前面側には、フロントカバー４が固定されることにより、略直方体形状の筐体２が構成される。
【００１７】
次に、給湯暖房機１のフロントカバー４について、図１及び図２を参照して説明する。図１及び図２に示すように、給湯暖房機１の前面には平面視略長方形状のフロントカバー４がバックカバー３の開放された前面側に固定されており、フロントカバー４の略中央の上部には、正面視略円形状の排気口７が形成されている。そして、その排気口７には中央が長手方向に沿って貫通する略円柱状の排気アダプタ６がフロントカバー４から水平方向に凸設され、排気口７の外周枠に沿って設けられている。尚、排気アダプタ６の貫通する貫通穴と排気口７とは同形状となっている。そして、排気口７には外部から異物が侵入することを防止するスリット穴状のカバー７ａが嵌め込まれている。
【００１８】
また、図１に示すように、フロントカバー４の下部には、開口部を塞ぐ横長の正面視略長方形状のケーブル接続扉１０が設けられており、その上部はビス１０ａ、１０ｂによって、フロントカバー４に固定されている。このケーブル接続扉１０裏面側には、コントローラ（図示外）が設けられており、コントローラの点検、又は給湯暖房機１の試運転時によるコントローラの操作等の場合において、ケーブル接続扉１０をフロントカバー４から外して作業を行えるようになっている。また、フロントカバー４の上部の図１の左側角部近傍にも、開口部を塞ぐ正面視略長方形状の注入扉９がビス９ａによって固定されている。この注入扉９は、後述する膨張タンク１００（図５参照）に水、不凍液等を直接注入する時にフロントカバー４から取り外され、注入作業が行えるようになっている。さらに、図１及び図２に示すように、フロントカバー４の外周縁部には、バックカバー３の開放する前面側の端部に当接して固定される突出部４ａが設けられている。
【００１９】
次に、給湯暖房機１の取付板１１，１２について、図１又は図２を参照して説明する。図１又は図２に示すように、給湯暖房機１の背面側（図２参照）の上端部には、給湯暖房機１を壁等に固定する正面視略長方形状の取付板１１が設けられ、取付板１１には複数の略円形状の取付穴１１ａと、複数の略楕円形状の取付穴１１ｂとが設けられている。取付板１１に設けられた取付穴１１ａ及び取付穴１１ｂにビス等を貫通して壁に固定することにより、給湯暖房機１が壁に取り付けられるようになっている。さらに、給湯暖房機１の背面側の下端にも同様に、取付板１１と同形状の取付板１２が設けられている。そして、取付板１２にも略円形状の複数の取付穴１２ａと複数の略楕円形状の取付穴１２ｂとが設けられており、取付板１２の取付穴１２ａ及び１２ｂにもビスを貫通して、給湯暖房機１を壁面に強固に固定することができるようになっている。
【００２０】
次に、給湯暖房機１の底板５について図３を参照して説明する。図３に示すように、給湯暖房機１の底板５には、給湯暖房機１にケーブルが接続される３つのケーブル接続口１５ａ，１５ｂ及び１５ｃが設けられ、ケーブル接続口１５ａは、給湯暖房機１のフロントカバー４側の底板５の端部と、底板５の右端部とに挟まれる底板５の角部近傍に設けられ、残り２つのケーブル接続口１５ｂ，１５ｃは、フロントカバー４側の底板５の端部の略中央近傍に、フロントカバー４の面に対して略並列に設けられている。さらに、底板５の背面側端部と右側端部とに挟まれる角部近傍には、給湯暖房機１によって加熱された湯が外部に供給される給湯接続口１７が設けられ、給湯接続口１７には凍結予防のために給湯暖房機１内の水抜きを行う水抜き栓２８が設けられている。また、ケーブル接続口１５ａと給湯接続口１７とに挟まれる位置には、給湯暖房機１内に設けられた後述する膨張タンク１００（図５参照）からオーバーフローした湯が外部に排出されるオーバーフロー排出口１８が設けられている。
【００２１】
さらに、図３に示すように、給湯接続口１７とケーブル接続口１５ｂ，１５ｃとの間には、給湯暖房機１に水が供給される給水接続口１６が設けられ、その給水接続口１６には、供給された水の中に含まれる異物等をろ過するストレーナ２６が設けられている。また、ケーブル接続口１５ｂ，１５ｃの左側の近傍には、給湯暖房機１にガスを供給するガス接続口２７が設けられている。さらにガス接続口２７と底板５の左端部との間には、給湯暖房機１内から外部（主に、床暖用の配管）に低温の湯が供給される６つの低温往き接続口２５が、フロントカバー４に対して平行に２列（一列に３つの低温往き接続口２５）になって設けられている。また、底板５の左端部の略中央から、底板５の背面側端部の略中央に向かって設けられており、底板５の左端部には、給湯暖房機１で加熱された湯が外部に接続された暖房用の高温放熱器（図示外）に供給される暖房往き接続口２３と、高温放熱器で放熱された湯が給湯暖房機１に戻される暖房戻り接続口２２とが一対となって設けられ、さらにその隣には給湯暖房機１で加熱された湯が外部に繋がれた風呂（図示外）に供給される風呂往き接続口２１と、風呂から湯が循環して給湯暖房機１に戻される風呂戻り接続口２０とが一対になって設けられている。
【００２２】
次に、給湯暖房機１の内部構成について、図４を参照して説明する。図４は、フロントカバー４を外した給湯暖房機１の正面図である。まず、底板５に組み付けられる給湯暖房機１を構成する各装置の構成について説明する。図４に示すように、底板５の裏面側に固定されたガス接続口２７の上方には、ガス接続口２７から供給されるガスを、後述する給湯用熱交換器４５に供給する量を調整する給湯用ガス開閉器５４と、さらにその上方には後述する暖房用熱交換器４６に供給するガスの量を調整する暖房用ガス開閉器３５とが設けられている。そして、暖房用ガス開閉器３５の下方であって、給湯用ガス開閉器５４の近傍に位置する風呂循環ポンプ３２が底板５に組み付けられている。尚、風呂循環ポンプ３２は、図示外の風呂に加圧して湯を循環させる装置である。
【００２３】
また、図４に示すように、底板５の裏面側に固定された６つの低温往き接続口２５の上方には、暖房用熱交換器４６によって加熱された湯の熱を回収して、図示外の風呂と給湯暖房機１とを循環する湯を再度加熱して追い炊きする風呂用熱交換器５１が設けられ、その風呂用熱交換器５１の上方には、後述する膨張タンク１００から供給される湯を加圧して、暖房用熱交換器４６に供給する暖房用循環ポンプ５９が設けられている。尚、暖房用循環ポンプ５９には、膨張タンク１００から供給される湯が入水する入水口５９ａが設けられている。また、風呂用熱交換器５１の下方であって、さらに底板５の端部近傍には、図示外のコントローラの指示により、風呂熱交換器への温水の供給路を開閉する風呂熱動弁２４が設けられている。
【００２４】
さらに、図４に示すように、底板５の裏面側に固定された給水接続口１６の上方には、給水接続口１６から給湯用熱交換器４５と、暖房用熱交換器４６とに供給される水量を調整する水量調整器６１が設けられている。水量調整器６１には給湯用給水管７５が接続され、その接続された一端部とは反対側の他端部は右側壁３ｂの近傍に設けられたジョイント部９２に接続されている。
【００２５】
次に、バックカバー３側に組み付けられる各装置の構成について、図４を参照して説明する。図４に示すように、天板８のフロントカバー４が固定される端部近傍には、後述する給湯用バーナ４３と、暖房用バーナ４９との燃焼により排出される排気ガスが給湯暖房機１内全体に漏れないようにする正面視略逆三角形状の排気カバー４８がバックカバーの天板８側の端部近傍に当接されて複数のビスにより固定されている。そして、排気カバー４８の略中央部には、正面視略円形状の排気口６２が設けられ、その排気口６２の外周枠には、中央が排気口６２と同形状に貫通するドーナツ状の排気アダプタ６３が排気カバー４８から水平方向に凸設されている。そして、排気口６２の内側には、外部から異物が侵入することを防止するスリット穴状のカバー６２ａが嵌め込まれている。また、排気アダプタ６３は、上述したフロントカバー４に設けられた排気アダプタ６の裏面側に嵌合するようになっている。
【００２６】
さらに、図４に示すように、バックカバー３の天板８と底板５とに挟まれる略中央付近には、供給される空気とガスの混合気体を燃焼する給湯用バーナ４３が右側壁３ｂ側に設けられ、左側壁３ａ側には、暖房用バーナ４９が給湯用バーナ４３と並列して設けられている。尚、給湯用バーナ４３のバックカバー３の背面側には、イグナイタ１１０（図６参照）が設けられ、コントローラ（図示外）の制御指示により給湯用バーナ４３の点火動作を行う。また、暖房用バーナ４９にも同様に、図示外のイグナイタが設けられており、コントローラの制御指示により暖房用バーナ４９の点火動作を行う。
【００２７】
さらに、給湯用バーナ４３の上方には、給湯用熱交換器４５が設けられており、給湯用バーナ４３の燃焼気体による熱を回収して、給湯用熱交換器４５内を通過する給湯伝熱管７１内の水が加熱されるようになっている。そして、給湯用熱交換器４５の左側壁３ａ側には、暖房用熱交換器４６が給湯用熱交換器４５に対して並列に設けられ、上述した暖房用バーナ４９の上方に位置するように設けられている。尚、この暖房用熱交換器４６も同様に、暖房用バーナ４９の燃焼気体による熱を回収して、暖房用熱交換器４６内の暖房伝熱管（図示外）内を通過する水が加熱されるようになっている。この給湯暖房機１は、給湯機能と暖房機能とを併せもつため、給湯用熱交換器４５と暖房用熱交換器４６とが別々に設けられ、給湯用熱交換器４５で加熱された湯は、給湯接続口１７と、図示外の風呂に供給され、暖房用熱交換器４６で加熱された湯は、図示外の放熱器に供給されるようになっている。
【００２８】
また、図４に示すように、給湯用熱交換器４５の右側壁３ｂ側の下部に設けられたジョイント部９３にはバイパス管７２が接続され、給水接続口１６から供給される水がバイパス管７２を通過し、給湯用熱交換器４５で加熱された湯に混合されるようになっている。また、給湯用熱交換器４５には、給水接続口１６から供給される水を給湯用熱交換器４５に供給する給湯用給水管５３が接続されており、その給湯用給水管５３の給湯用熱交換器４５と接続される一端側と反対側の他端側は、ジョイント部９２に接続されている。
【００２９】
さらに、給湯用熱交換器４５の下方には、正面視略円形状の給湯用ファン４１が固定されており、給湯用ファン４１の駆動により外部より吸引された空気は給湯用バーナ４３に供給され、給湯用バーナ４３の燃焼に利用されるようになっている。また、暖房用熱交換器４６の下方には、暖房用ファン４２が固定されており、暖房用ファン４２の駆動により外部より吸引された空気は暖房用バーナ４９に供給され、暖房用バーナ４９の燃焼に利用されるようになっている。
【００３０】
次に、膨張タンク１００について、図５を参照して説明する。図５は、図４の給湯暖房機１に、膨張タンク１００を取り付けた給湯暖房機１の正面図である。給湯暖房機１において、膨張タンク１００は、図示外の放熱機及び給湯暖房機１の配管内を循環する湯の温度変化による膨張収縮を吸収するために設けられ、給湯暖房機１内と、外部に接続された配管内と、放熱器内との水量が所要水量に保持するための調整を行う。膨張タンク１００は、内部が空洞の箱形状を有し、図５に示すように、膨張タンク１００の底面部は、底面部の略中央部から一端側（右側壁３ｂ側）に向かって２段、該中央部より一端側とは反対側の他端側（左側壁３ａ側）に向かって１段底上げされた凹凸形状を有している。尚、この膨張タンク１００の形状は、上述に限らず変更可能であり、バックカバー３に組み付けられた各装置の凹凸に合わせて自由に形状を変えてもよい。
【００３１】
そして、図５に示すように、膨張タンク１００の底面側には、ジャバラ状のタンク往き管４７が接続され、膨張タンク１００に接続された一端部側と反対側の他端部側は暖房用循環ポンプ５９の入水口５９ａ（図４参照）に接続されている。また、膨張タンク１００のタンク往き管４７が接続された接続口（図示外）の近傍には、ジャバラ状のタンク戻り管４４が接続されている。尚、タンク往き管４７は膨張タンク１００内の湯を暖房用循環ポンプ５９に供給し、タンク戻り管４４は外部の放熱器から戻ってきた湯を膨張タンク１００内に供給する管である。さらに膨張タンク１００の右側壁３ｂ側の端部には、膨張タンク１００内の湯がオーバーフローして、外部に排出される排出口５８が設けられており、排出口５８にはオーバーフロー排出管７９が接続され、オーバーフロー排出管７９は底板５に固定されたオーバーフロー排出口１８（図３参照）に向かって延設されている。
【００３２】
また、図５に示すように、膨張タンク１００の前面上方の左側壁３ａ側の角部近傍には、膨張タンク１００の内部に貫通する貫通穴（図示外）が設けられ、その貫通穴にはジョイント部７８がビス７８ａ，７８ｂにより固定され、膨張タンク１００から脱着可能となっている。さらに、ジョイント部７８には注水接続管７７が接続され、注水接続管７７には自動注水弁７４が設けられ、自動注水弁７４には注水管７６が接続されている。また、注水管７６の自動注水弁７４と接続する一端部とは反対側の他端部は、給湯接続口１７の上方に設けられたジョイント部１０５に接続されている。また、注水管７６には、給湯用熱交換器４５で加熱された湯が通過するようになっている。そして、膨張タンク１００内には、膨張タンク１００内の水位を検出する炭素電極センサ９７が設けられており、炭素電極センサ９７の検出値はコントローラ（図示外）に送信され、膨張タンク１００内の水位が予め定められた水位より低い場合は、自動注水弁７４を開放して、膨張タンク１００に湯が供給されるようになっている。
【００３３】
次に、膨張タンク１００の突出部１０１，１０２と、バックカバー３の左側壁３ａへの取付方法について、図５乃至図８を参照して説明する。図６は、図４に示す給湯暖房機１に膨張タンク１００を取り付けた給湯暖房機１の縦断面図である。図７は、膨張タンク１００を開いた状態を示す給湯暖房機１の縦断面図である。図８は、軸受け部１０３に突出部１０１が軸支される状態を示す斜視図である。図５に示すように、膨張タンク１００は、図４に示す給湯用熱交換器４５及び暖房用熱交換器４６の前面側、即ち、バックカバー３のフロントカバー４が固定される前面側に設けられている。バックカバー３の左側壁３ａ側に対向する膨張タンク１００の一端部側には、左側壁３ａに向かって水平に凸設されたアーム状の突出部１０１が設けられている。そして、図８に示すように、突出部１０１の先端側近傍には、下方に向かって凸設された軸部１０１ａが設けられ、軸部１０１ａの先端側には軸部１０１ａに対して略直角であって、かつ膨張タンク１００側の一端部に向かって凸設された係止部１０１ｂが設けられている。また、図５に示すように、膨張タンク１００の突出部１０１が凸設された一端部の下方にも、突出部１０１と同形状の突出部１０２が設けられており、突出部１０２にも同様の図示外の軸部と係止部とが設けられている。
【００３４】
さらに、図５に示すように、バックカバー３の左側壁３ａの内側には、左側壁３ａからバックカバー３の内側に向かって略垂直方向に凸設された軸受け部１０３が設けられている。また、図８に示すように、軸受け部１０３の先端側近傍には、突出部１０１の軸部１０１ａと，軸部１０１ａに凸設された係止部１０１ｂとが挿入可能な軸受け穴１０６が設けられている。軸受け穴１０６は、軸部１０１ａが略垂直に挿入可能な略円形状の円部１０６ａと、係止部１０１ｂと同形状の突起部１０６ｂとで構成されている。尚、軸受け穴１０６の突起部１０６ｂは、軸受け穴１０６の給湯暖房機１のフロントカバー４の固定側に凸設されている。また、図５に示すように、バックカバー３の左側壁３ａの軸受け部１０３が凸設された端部の下方にも、軸受け部１０３と同形状の軸受け部１０４が、左側壁３ａに凸設されている。そして、軸受け部１０４には、軸受け部１０３の軸受け穴１０６と同形状の軸受け穴（図示外）が設けられている。
【００３５】
次に、突出部１０１と軸受け部１０３との軸支方法について、図５、図７及び図８を参照して説明する。図５及び図８に示すように、バックカバー３の左側壁３ａより凸設された軸受け部１０３の上下に貫通する軸受け穴１０６に対して、その軸受け穴１０６の上方から突出部１０１の軸部１０１ａを挿入する。この時に、図７及び図８に示すように、軸受け部１０３の長手方向に対して、突出部１０１の長手方向を略直角になるように位置させ、軸受け穴１０６の突起部１０６ｂに、軸部１０１ａの係止部１０１ｂを合わせて挿入することにより、軸受け部１０３に突出部１０１が当接する。一方、突出部１０２と軸受け部１０４との軸支方法も同様となっている。したがって、膨張タンク１００の横方向が軸受け部１０３，１０４の長手方向に対して直角となった時に、膨張タンク１００が軸受け部１０３，１０４から脱着可能となる。こうして、軸受け部１０３，１０４に突出部１０１，１０２の各々の軸部が軸支され、膨張タンク１００は突出部１０１の軸部１０１ａと、突出部１０２の軸部（図示外）を軸心として、図７に示すように左側壁３ａの方向に開くことが可能となる。
【００３６】
そして、図７に示すように、膨張タンク１００の突出部１０１，１０２の長手方向を、左側壁３ａの軸受け部１０３，１０４の長手方向に対して略直角になるように位置させて、左側壁３ａに取り付けられた膨張タンク１００を、図６に示すように、バックカバー３の前面側（フロントカバー４が固定される面側）に向けて閉じる。さらに、図５及び図６に示すように、膨張タンク１００の排出口５８にオーバーフロー排出管７９を接続することにより、膨張タンク１００の組み付けが完了する。
【００３７】
そして、軸受け部１０３，１０４の各軸受け穴に突出部１０１，１０２の各軸部が各々挿入され、各軸部を軸心として回動させた際に、軸受け部１０３の軸受け穴１０６の下方に挿入された係止部１０１ｂが、軸受け部１０３の裏面側に係止されることにより、軸受け部１０３から突出部１０１が脱着不能となり、同様に、軸受け部１０４から突出部１０２が脱着不能となる。よって、膨張タンク１００がバックカバー３の左側壁３ａから外れないようにすることができる。したがって、膨張タンク１００が、給湯用熱交換器４５と、暖房用熱交換器４６とに当接して閉じた状態となっている場合には、軸部１０１ａの係止部１０１ｂが軸受け部１０３に係止されている状態となり、膨張タンク１００がバックカバー３から落下することがなく安全である。そして、膨張タンク１００の裏面側の給湯用熱交換器４５又は暖房用熱交換器４６の交換作業等を行う際には、図７に示すように、膨張タンク１００を左側壁３ａ側に向けて開くことにより交換作業を行う。
【００３８】
また、図７に示すように、膨張タンク１００を左側壁３ａ側に開いた際に、膨張タンク１００に接続されたジャバラ状のタンク往き管４７と、ジャバラ状のタンク戻り管４４とは、膨張タンク１００の開き度合いに応じてそのジャバラが伸長するので、膨張タンク１００に接続されたままで膨張タンク１００を開くことができる。よって、膨張タンク１００からタンク往き管４７と、タンク戻り管４４とを外すことなく、膨張タンク１００を左側壁３ａ側に開いて、給湯用熱交換器４５及び暖房用熱交換器４６等のメンテナンス作業又は交換作業等を行うことができる。
【００３９】
また、膨張タンク１００は、バックカバー３の暖房用熱交換器４６の取り付け側の側面に軸支される（本実施の形態では左側壁３ａ）。この理由は、給湯暖房機１の内部において、給湯用熱交換器４５，給湯用ファン４１，給湯用バーナ４３等で構成される給湯回路は、給湯暖房機１の内部の右側壁３ｂ側に設けられ、暖房用熱交換器４６，暖房用ファン４２，暖房用バーナ４９，暖房用循環ポンプ５９等によって構成される暖房回路は給湯暖房機１の左側壁３ａ側に組み付けられており、膨張タンク１００は、外部の放熱器（図示外）より戻ってきた湯を所要水量だけ貯蔵して暖房用循環ポンプ５９に供給するため、暖房回路側に設けられる必要があるためである。したがって、膨張タンク１００が開く際に、膨張タンク１００に接続されたタンク戻り管４４，タンク往き管４７等の配管類が膨張タンク１００によって引っ張られないようにするために、暖房回路が設けられる側のバックカバー３の内側面に設けられている。よって、本実施の形態の給湯暖房機１では、バックカバー３に組み付けられた給湯用熱交換器４５と暖房用熱交換器４６とのうち、暖房用熱交換器４６側のバックカバー３の左側壁３ａに膨張タンク１００が設けられている。
【００４０】
以上説明したように、本実施の形態の給湯暖房機１は、バックカバー３に組み付けられた給湯用熱交換器４５及び暖房用熱交換器４６と、フロントカバー４との間に膨張タンク１００が設けられているので、給湯暖房機１の横幅が広くならずにすむことができる。また、膨張タンク１００の一端側は、バックカバー３の左側壁３ａに軸支されているので、膨張タンク１００は左側壁３ａ側に回動して開くことができ、膨張タンク１００の裏面側に設けられた給湯用熱交換器４５，暖房用熱交換器４６，給湯用バーナ４３及び暖房用バーナ４９の交換作業を容易に行うことができる。また、膨張タンク１００に接続されたタンク往き管４７とタンク戻り管４４とはジャバラ状になっているので、膨張タンク１００の開き度合いに応じてタンク往き管４７及びタンク戻り管４４は伸長することが可能である。さらに、膨張タンク１００は、暖房用熱交換器４６，暖房用ファン４２，暖房用バーナ４９，暖房用循環ポンプ５９等によって構成される暖房回路において利用される装置であるので、暖房回路が設けられる側のバックカバー３の側面壁（本実施の形態では左側壁３ａ）側に軸支される。したがって、膨張タンク１００が開いても、膨張タンク１００に接続されるタンク往き管４７及びタンク戻り管４４は大きく引っ張られることがないので、タンク往き管４７及びタンク戻り管４４に負荷がかからない。
【００４１】
また、バックカバー３の左側壁３ａより凸設された軸受け部１０３の軸受け穴１０６に対して、突出部１０１の軸部１０１ａが挿入され、軸受け部１０３の長手方向に対して、突出部１０１の長手方向が略直角になった時に、軸受け穴１０６の突起部１０６ｂに、軸部１０１ａの係止部１０１ｂが合致して挿入できる（突出部１０２及び軸受け部１０４も同様）。したがって、膨張タンク１００の横方向が軸受け部１０３，１０４の長手方向に対して直角となった時に、膨張タンク１００が軸受け部１０３，１０４から脱着可能となり、膨張タンク１００が閉じた状態においては、軸受け部１０３，１０４から脱着不能となり、バックカバー３から膨張タンク１００が外れて落下することがないので安全である。
【００４２】
尚、本発明の給湯暖房機は、上記の実施の形態に限定されることなく、各種の変更が可能である。上記実施の形態では、給湯機能と暖房機能とを併せもつ給湯暖房機１を本実施の形態として説明したが、暖房機能のみを備えた温水暖房装置等においても適用可能である。
【００４３】
【発明の効果】
以上説明したように、請求項１に係る発明の給湯暖房機によれば、給湯暖房機内の膨張タンクは、バックカバー内の側面側に固定するのではなく、熱交換器とフロントカバーとの間に設けられているので、給湯暖房機の横幅を狭く設計でき、給湯暖房機の設置スペースの幅を広くとる必要がない。したがって、狭い場所でも給湯暖房機を設置することができる。
【００４４】
請求項２に係る発明の給湯暖房機では、請求項１に記載の発明の効果に加え、膨張タンクの一端側は、バックカバーの内側の側面に軸支されて回動可能となっているので、容易に熱交換器又はバーナ等のメンテナンス作業及び交換作業を容易に行うことができる。
【００４５】
請求項３に係る発明の給湯暖房機では、請求項１又は２に記載の発明の効果に加え、膨張タンクと循環ポンプとの間に接続されたタンク往き管と、膨張タンクと戻り配管との間に接続されたタンク戻り管とは可塑性になっているので、膨張タンクが手前方向に開かれたとしても、タンク往き管とタンク戻り管とが膨張タンクの動きに応じて伸長可能であるので、タンク往き管とタンク戻り管とを短く設計できる。また、膨張タンクからタンク往き管とタンク戻り管とを取り外す必要もないので作業時間の短縮をはかることができる。
【００４６】
請求項４に係る発明の給湯暖房機では、請求項２又は３に記載の発明の効果に加え、膨張タンクは、暖房用熱交換器に接続された循環ポンプに接続されており、膨張タンクの一端側は暖房用熱交換器が接続されているバックカバーの側面側に軸支されているので、膨張タンクが回動しても、膨張タンクに接続されたタンク往き管とタンク戻り管とが膨張タンクに引っ張られることがなく、タンク往き管とタンク戻り管とを短く設計することができる。
【００４７】
請求項５に係る発明の給湯暖房機では、請求項２乃至４の何れかに記載の発明の効果に加え、膨張タンクに凸設された突出部の先端に設けられた軸部は、バックカバーの内側に凸設された軸受け部の受け穴に挿入され、受け穴に設けられた突起部に軸部の係止突起を合わせることにより挿入され、回動可能となるので、係止突起は、軸受け部の突起部に合わせないと外れない。よって、バックカバーの内側面から膨張タンクが外れることがない。そして、膨張タンクのメンテナンス及び交換作業時には、軸部の係止突起を受け穴の突起部に合わせて、膨張タンクを取り外せばよいので作業が容易である。
【図面の簡単な説明】
【図１】図１は、給湯暖房機１の正面図である。
【図２】図２は、給湯暖房機１の側面図である。
【図３】図３は、給湯暖房機１の底面図である。
【図４】図４は、フロントカバー４を外した給湯暖房機１の正面図である。
【図５】図５は、図４の給湯暖房機１に、膨張タンク１００を取り付けた給湯暖房機１の正面図である。
【図６】図６は、図４に示す給湯暖房機１に膨張タンク１００を取り付けた給湯暖房機１の縦断面図である。
【図７】図７は、膨張タンク１００を開いた状態を示す給湯暖房機１の縦断面図である。
【図８】図８は、軸受け部１０３に突出部１０１が軸支される状態を示す斜視図である。
【符号の説明】
１    給湯暖房機
２    筐体
３    バックカバー
４    フロントカバー
５    底板
３２    風呂循環ポンプ
３５    暖房用ガス開閉器
４１    給湯用ファン
４２    暖房用ファン
４３    給湯用バーナ
４５    給湯用熱交換器
４６    暖房用熱交換器
４８    排気カバー
４９    暖房用バーナ
５１    風呂用熱交換器
５４    給湯用ガス開閉器
５９    暖房用循環ポンプ
６１    水量調整器
１００    膨張タンク
【図１】
2005037019.tif 000003
【図２】
2005037019.tif 000004
【図３】
2005037019.tif 000005
【図４】
2005037019.tif 000006
【図５】
2005037019.tif 000007
【図６】
2005037019.tif 000008
【図７】
2005037019.tif 000009
【図８】
2005037019.tif 000010